(57)【特許請求の範囲】
【請求項１】
カメラ本体の前面部に２眼あるいは４眼の撮影レンズを備える証明写真用カメラにおいて、
カメラ本体の前面部で前記２眼あるいは４眼の撮影レンズの間にファインダー対物部を設置するとともに、
このファインダー対物部からファインダー接眼部までのファインダー光学系部品をカメラ本体の外部に沿って配設したことを特徴とする証明写真用カメラ。
【発明の詳細な説明】
【０００１】
【産業上の利用分野】
本発明は、２駒同時撮影が可能な２眼の撮影レンズまたは４駒同時撮影が可能な４眼の撮影レンズを備える証明写真用カメラに関するものである。
【０００２】
【従来の技術】
２駒同時撮影可能な２眼の撮影レンズを備える２眼カメラや４駒同時撮影可能な４眼の撮影レンズ備える４眼カメラが証明書用写真を撮影するための証明写真用カメラとして従来から使用されている。
このような証明写真用カメラにおいて、従来は、ファインダーをカメラ本体の側面等に設けていた（例えば、特開平１−３５５３７号公報参照）。
【０００３】
【発明が解決しようとする課題】
しかしながら、従来のようにファインダーをカメラ本体の側面等に設けた証明写真用カメラでは、撮影レンズとファインダー光学系が別の位置にあるため、２眼あるいは４眼の撮影レンズによる撮影範囲とファインダー内視野との間にズレ（パララックス）が生じていた。
このような撮影範囲とファインダー内視野との間のズレ（パララックス）は、撮影レンズがファインダーから離れている程、顕著である。
【０００４】
そこで、本発明の目的は、ファインダー対物部の位置を適切に設定して、２眼あるいは４眼の撮影レンズによる撮影範囲とファインダー内視野との間のズレを少なくできるようにした証明写真用カメラを提供することにある。
【０００５】
【課題を解決するための手段】
以上の課題を解決すべく本発明は、カメラ本体の前面部に２眼あるいは４眼の撮影レンズを備える証明写真用カメラにおいて、カメラ本体の前面部で前記２眼あるいは４眼の撮影レンズの間にファインダー対物部を設置するとともに、このファインダー対物部からファインダー接眼部までのファインダー光学系部品をカメラ本体の外部に沿って配設したことを特徴としている。
【０００６】
【作用】
本発明によれば、２眼あるいは４眼の撮影レンズの間にファインダー対物部を設置した証明写真用カメラなので、撮影レンズとファインダー対物部との距離が小さくなり、パララックスが少なくなる。
さらに、各撮影レンズの中間にファインダー対物部を設置することにより、各撮影レンズ毎のズレが均等になる。
【０００７】
【実施例】
以下に、本発明に係る証明写真用カメラの実施例を図１から図４に基づいて説明する。
先ず、図１および図２は本発明を適用した証明写真用カメラの第１実施例としての４眼カメラ１を示すものである。
この４眼カメラ１は、カメラ本体２に上下左右の４眼の撮影レンズ３，３，３，３を備えるとともに、カメラ本体２の一側部（撮影者の左手側）にグリップ部４を備えて、カメラ本体２の他側部（撮影者の右手側）にシャッターボタン５およびファインダー６を備えている。
【０００８】
このファインダー６は、ファインダー対物部７を上下左右４眼の撮影レンズ３，３，３，３の丁度中間部（中心部）に設置するとともに、ファインダー接眼部８をカメラ本体２の側面部に設置して、これらファインダー対物部７とファインダー接眼部８とをつなぐファインダーケース９を有している。
このファインダーケース９内には、ファインダー光学系部品が配設されている。
即ち、上下左右４眼の撮影レンズ３，３，３，３の中心部に設置したファインダー対物部７には、対物レンズ１０および第１のミラー１１を順に配置して、さらに、その一側方には、レンズ１２，１３，１４，１５，１６および第２のミラー１７の順で配置している。
そして、第２のミラー１７から後方には、レンズ１８，１９，２０，２１の順で配置して、さらに、その後方のファインダー接眼部８には、接眼レンズ２２を配置している。
【０００９】
以上の構成によれば、４眼カメラ１の上下左右の各撮影レンズ３，３，３，３の中心部にファインダー対物部７を設けて、対物レンズ１０に入射した光を第１のミラー１１によって横方向に導き、レンズ１２，１３，１４，１５，１６を通った光を第２のミラー１７によって後方に導き、ファインダー接眼部８の接眼レンズ２２を通して撮影者が見ることができる。
特に、上下左右４眼の各撮影レンズ３，３，３，３の中心位置にファインダー対物部７を設置したため、各撮影レンズ３，３，３，３とファインダー対物部７との距離を小さくでき、各撮影レンズ３，３，３，３毎のズレを均等にすることができる。
従って、４眼カメラ１における各撮影レンズ３，３，３，３による撮影範囲とファインダー６内の視野との間のパララックスを少なくすることができる。
【００１０】
次に、本発明の第２実施例について説明する。
図３および図４は本発明を適用した証明写真用カメラの第２実施例としての２眼カメラ３１を示すものである。
この２眼カメラ３１は、カメラ本体３２に左右の２眼の撮影レンズ３３，３３を備えるとともに、カメラ本体３２の一側部（撮影者の左手側）にグリップ部３４を備えて、カメラ本体３２の他側部（撮影者の右手側）にシャッターボタン３５およびファインダー３６を備えている。
【００１１】
このファインダー３６は、ファインダー対物部３７を左右２眼の撮影レンズ３３，３３の丁度中間部（中央部）に設置するとともに、ファインダー接眼部３８をカメラ本体３２の側面部を経て上面側部に設置して、これらファインダー対物部３７とファインダー接眼部３８とをつなぐファインダーケース３９を有している。
このファインダーケース３９内には、ファインダー光学系部品が配設されている。
なお、この第２実施例において、ファインダー光学系部品は、前記第１実施例より２枚多くミラーを使用している。
【００１２】
即ち、左右２眼の撮影レンズ３３，３３の中央部に設置したファインダー対物部３７には、対物レンズ４０および第１のミラー４１を順に配置して、その上方には、レンズ４２，４３，４４および第２のミラー４５の順で配置している。
そして、第２のミラー４５から一側方に、レンズ４６，４７および第３のミラー４８の順で配置して、さらに、この第３のミラー４８から再び上方に、レンズ４９，５０および第４のミラー５１の順で配置している。
また、この第４のミラー５１から再び後方に、レンズ５２，５３の順で配置して、さらに、その後方のファインダー接眼部３８には、接眼レンズ５４を配置している。
【００１３】
以上の構成によれば、２眼カメラ３１の左右の両撮影レンズ３３，３３の中央部にファインダー対物部７３を設けて、対物レンズ４０に入射した光を第１のミラー４１によって上方に導き、レンズ４２，４３，４４を通った光を第２のミラー４５によって横方向に導いてから、レンズ４６，４７を通った光を第３のミラー４８によって再び上方に導き、さらに、レンズ４９，５０を通った光を第４のミラー５１によって後方に導き、ファインダー接眼部３８の接眼レンズ５４を通して撮影者が見ることができる。
特に、左右２眼の両撮影レンズ３３，３３の中央位置にファインダー対物部３７を設置したため、両撮影レンズ３３，３３とファインダー対物部３７との距離を小さくでき、両撮影レンズ３３，３３毎のズレを均等にすることができる。
従って、２眼カメラ３１における両撮影レンズ３３，３３による撮影範囲とファインダー３６内の視野との間のパララックスを少なくすることができる。
【００１４】
なお、以上の実施例においては、ファインダー対物部の位置を各撮影レンズの中心部としたが、本発明はこれに限定されるものではなく、ファインダー対物部の位置は必ずしも各レンズの中心部である必要はなく、要は各撮影レンズの間にあればよい。
さらに、実施例では、ファインダー接眼部の位置をカメラ本体の側面や上面側部としたが、ファインダー接眼部の位置はどこであってもよい。
また、ファインダー光学系の構成部品も任意であり、例えば、ミラーに代えてプリズム等を使用してもよく、さらに、その他、具体的な細部構造等についても適宜に変更可能であることは勿論である。
【００１５】
【発明の効果】
以上のように、本発明に係る証明写真用カメラによれば、２眼あるいは４眼の撮影レンズの間にファインダー対物部を設置したことにより、撮影レンズとファインダー対物部との距離が小さくなって、パララックスを少なくすることができる。
さらに、各撮影レンズの中間にファインダー対物部を設置することによって、各撮影レンズ毎のズレを均等にすることができる。
【図面の簡単な説明】
【図１】本発明を適用した証明写真用カメラの第１実施例としての４眼カメラを示すもので、ファインダー部分を透視状態で示した概略正面図である。
【図２】図１の矢印Ａ−Ａ線に沿った横断面図である。
【図３】本発明を適用した証明写真用カメラの第２実施例としての２眼カメラを示すもので、ファインダー部分を透視状態で示した概略正面図である。
【図４】図３の矢印Ｂ−Ｂ線に沿った縦断面図である。
【符号の説明】
１  ４眼カメラ
２  カメラ本体
３  撮影レンズ
４  グリップ部
５  シャッターボタン
６  ファインダー
７  ファインダー対物部
８  ファインダー接眼部
９  ファインダーケース
１０，１１，１２，１３，１４，１５，１６，１７，１８，１９，２０，２１，２２  ファインダー光学系部品
３１  ２眼カメラ
３２  カメラ本体
３３  撮影レンズ
３４  グリップ部
３５  シャッターボタン
３６  ファインダー
３７  ファインダー対物部
３８  ファインダー接眼部
３９  ファインダーケース
４０，４１，４２，４３，４４，４５，４６，４７，４８，４９，５０，５１，５２，５３，５４  ファインダー光学系部品
【図１】
0003576227.tif 000002
【図２】
0003576227.tif 000003
【図３】
0003576227.tif 000004
【図４】
0003576227.tif 000005